(57)【特許請求の範囲】
【請求項１】
水の使用状況を監視する水使用状況監視システムであって、
所定の計測周期で計測した前記水の流量の計測値を時系列に第１計測履歴として第１記憶装置に記録するとともに、前記第１計測履歴の未送信分を前記計測周期よりも長い周期である所定の通信周期で送信する複数の計測装置と、
各前記計測装置に有線または無線のネットワークにより接続され、前記通信周期で各前記計測装置から収集した計測値を時系列に第２計測履歴として第２記憶装置に記録するとともに、前記第２計測履歴を表示する入出力装置に表示させる表示データを作成する水使用状況監視装置とを
備え、
前記計測装置は、前記計測値の変化が、前記計測値の変化が急変したか否かを判定する急変判定値以上になった場合に前記水使用状況監視装置に未送信分の前記計測値を送信する第１通信装置を有し、
前記水使用状況監視装置は、
前記第２記憶装置に記録された過去の前記計測値の情報から前記計測装置毎に、当該計測装置の前記通信周期を変更する通信周期評価装置と、変更された前記通信周期を該当する前記計測装置に送る第２通信装置と、前記第２記憶装置に記録された過去の前記計測値の情報から前記計測装置毎に、前記急変判定値を変更する急変判定値評価装置とを有し、
前記通信周期評価装置は、
任意の期間における前記計測値を総和した総前記流量が大きい場合には前記通信周期を小さく決定するとともに前記総流量が小さい場合には前記通信周期を大きく決定し、かつ、任意の期間における前記計測値のうちの最大値と最小値との差である流量差が大きい場合には前記通信周期を小さく決定するとともに前記流量差が小さい場合には前記通信周期を大きく決定し、
前記急変判定値評価装置は、
任意の期間における前記総流量が大きい場合には前記急変判定値を大きく決定するとともに前記総流量が小さい場合には前記急変判定値を小さく決定し、かつ、任意の期間における前記流量差が大きい場合には前記急変判定値を大きく決定するとともに前記流量差が小さい場合には前記急変判定値を小さく決定し、
前記第２通信装置は、
変更された前記急変判定値を該当する前記計測装置に送る
ことを特徴とする水使用状況監視システム。
【請求項２】
請求項１に記載の水使用状況監視システムにおいて、
前記水使用状況監視装置は、
前記通信周期および前記急変判定値を前記入出力装置に表示し、かつ、
当該入出力装置への入力による設定により前記通信周期および前記急変判定値を変更する設定変更装置を備える
ことを特徴とする水使用状況監視システム。
【発明の詳細な説明】
【技術分野】
【０００１】
本発明は、水使用状況を計測する複数の計測機器から通信回線によってデータの送受信を行いデータ収集する監視装置に係る水使用状況監視システムに関する。
【背景技術】
【０００２】
従来、上水道の使用量を計測する計測装置は計測値を表示する表示部を備え、計量値を管理員が目視して検針し、一定期間の使用量を把握している。昨今、計測装置が通信部を備え、計測値を一定周期で管理サーバに送信することにより自動検針するシステムも、豪雪地帯や新興国などで導入されている。
【０００３】
例えば、〔特許文献１〕に記載の技術では、状態変化種別をメモリに記憶して照合することが開示されている。
〔特許文献２〕では、需要家の水道仕様履歴情報により需要家の生活状況を把握する技術が開示されている。
〔特許文献３〕では、配水系統の故障時に断水箇所の少ない運用案を立案するシステムの技術が開示されている。
【０００４】
〔特許文献４〕には、電力需要家毎に設けられる通信端末が、電力量計によって計測された電力量を含む電力情報を自動検針サーバに一定周期で送信し、通信端末の予測部により電力量を積算する。これより、需要時限デマンド値を予測して予め設定された目標デマンド値との関係を示すデマンド情報、電力情報をサービス提供端末に送信する技術が開示されている。
【０００５】
〔特許文献５〕には、電力量計の通信時の消費電力を記憶し、消費電力が大きい電力量計は周期を長く、消費電力が小さい電力計は周期を短くすることで消費電力を低減する技術が開示されている。
〔特許文献６〕には、電力量計が計測した電力量が“０”であった場合は居住者がいないと判定する技術が開示されている。
【先行技術文献】
【特許文献】
【０００６】
【特許文献１】特開昭６３−６９７号公報
【特許文献２】特開平７−１２１６７７号公報
【特許文献３】特開２００３−１０５８０８号公報
【特許文献４】特開２００７−６５７９号公報
【特許文献５】特開２０１０−２８１６８号公報
【特許文献６】特開２０１０−２５６０９８号公報
【発明の概要】
【発明が解決しようとする課題】
【０００７】
ところで、前記した従来の技術においては、計測装置が逐次、連続的に通信しているため、通信量が膨大となり、計測装置の数が増加するに従って通信量も増大する。そのため、通信コスト増大の起因となる。
そこで、通信量を低減するため、送信周期を長くする方法があるが、この方法では、数分以内に生じる過渡的な状態を把握することが困難である。
【０００８】
このような計測量の短時間の変化を把握することは、突発的な事象である給水管の破裂や散水を迅速に把握することが可能となり、一般需要家に対して供給サービスを向上させる手段の提供が期待できる。しかしながら、前記した従来の技術は、これらの点について考慮されていない。
一方、各計測装置の計測量を積算することで、全使用量や特定の地区の使用量を把握することが可能となるが、前記したように、逐次通信した場合、通信コストの増大が問題となる。
【０００９】
本発明は上記実状に鑑み、水使用量の計測装置が計測する需要量の変動を把握でき、通信コストの低減が可能な水使用状況監視システムの提供を目的とする。
【課題を解決するための手段】
【００１０】
上記目的を達成すべく、本発明に関わる水使用状況監視システムは、水の使用状況を監視する水使用状況監視システムであって、所定の計測周期で計測した前記水の流量の計測値を時系列に第１計測履歴として第１記憶装置に記録するとともに、前記第１計測履歴の未送信分を前記計測周期よりも長い周期である所定の通信周期で送信する複数の計測装置と、各前記計測装置に有線または無線のネットワークにより接続され、前記通信周期で各前記計測装置から収集した計測値を時系列に第２計測履歴として第２記憶装置に記録するとともに、前記第２計測履歴を表示する入出力装置に表示させる表示データを作成する水使用状況監視装置とを備え、前記計測装置は、前記計測値の変化が、前記計測値の変化が急変したか否かを判定する急変判定値以上になった場合に前記水使用状況監視装置に未送信分の前記計測値を送信する第１通信装置を有し、前記水使用状況監視装置は、前記第２記憶装置に記録された過去の前記計測値の情報から前記計測装置毎に、当該計測装置の前記通信周期を変更する通信周期評価装置と、変更された前記通信周期を該当する前記計測装置に送る第２通信装置と、前記第２記憶装置に記録された過去の前記計測値の情報から前記計測装置毎に、前記急変判定値を変更する急変判定値評価装置とを有し、前記通信周期評価装置は、任意の期間における前記計測値を総和した総前記流量が大きい場合には前記通信周期を小さく決定するとともに前記総流量が小さい場合には前記通信周期を大きく決定し、かつ、任意の期間における前記計測値のうちの最大値と最小値との差である流量差が大きい場合には前記通信周期を小さく決定するとともに前記流量差が小さい場合には前記通信周期を大きく決定し、前記急変判定値評価装置は、任意の期間における前記総流量が大きい場合には前記急変判定値を大きく決定するとともに前記総流量が小さい場合には前記急変判定値を小さく決定し、かつ、任意の期間における前記流量差が大きい場合には前記急変判定値を大きく決定するとともに前記流量差が小さい場合には前記急変判定値を小さく決定し、前記第２通信装置は、変更された前記急変判定値を該当する前記計測装置に送っている。
【発明の効果】
【００１１】
本発明によれば、水使用量の計測装置が計測する需要量の変動を把握でき、通信コストの低減が可能な水使用状況監視システムを実現できる。
【図面の簡単な説明】
【００１２】
【図１】本発明に係る実施形態の水使用状況監視システムの概念的構成図である。
【図２】実施形態の計測装置の内部構成を示す概念図である。
【図３】実施形態の水使用状況監視装置の内部構成を示す概念図である。
【図４】実施形態の通信周期評価テーブルを示す図である。
【図５】実施形態の急変判定値評価テーブルを示す図である。
【図６】実施形態のある計測装置の日間水使用量の瞬時値の変動が少ない場合の例を示した図である。
【図７】実施形態のある計測装置の日間水使用量の瞬時値の変動が大きい場合の例を示した図である。
【図８】実施形態のある計測装置の日間水使用量の瞬時値の急変がある場合の例を示した図である。
【発明を実施するための形態】
【００１３】
以下、本発明の実施形態について添付図面を参照して説明する。
図１は、本発明に係る実施形態の水使用状況監視システムの概念的構成図である。
実施形態の水使用状況監視システムＳは、例えば、配水ブロックの水道配水管１や需要家２への配管１ｊに上水道の流量(使用水量)や水圧を計測する計測装置(水道メータ)３が設置されている。
【００１４】
水使用状況監視システムＳは、計測装置３のデータ伝送用のネットワーク４と、各計測装置３に関する計測機器情報とその計測値を管理する水使用状況監視装置５と、各計測装置３の計測値や計測機器情報を確認するための監視モニタ６とを備えて構成されている。
ネットワーク４は、有線または無線のネットワークであり、インターネットや公衆回線でセキュリティをかけ保護したり、専用回線などが使用されるが、セキュリティを保持できれば特に限定されない。
【００１５】
＜計測装置３＞
図２は、計測装置の内部構成を示す概念図である。
水道配水管１や配管１ｊに設置される計測装置３は、水道水の流量(使用水量)や水圧を流量計、圧力計を用いて計測する計測部３９を有している。
また、計測装置３は、計測部３９で計測された計測値を計測履歴３８として記憶するためのメモリの記憶装置３４と、ネットワーク４を介して水使用状況監視装置５と通信を行う通信装置３２と、通信するタイミングを判定する通信周期判定装置３３と、時刻を管理する時計装置３１とを備えている。
【００１６】
計測装置３は、流量計、圧力計など各種センサの他、制御用のマイクロコンピュータ、メモリや、流量計、圧力計などで検出した検出信号を増幅する増幅回路、Ａ／Ｄ・Ｄ／Ａ変換器などを含む周辺回路などを有している。計測装置３の各種制御は、メモリに格納される制御プログラムがマイクロコンピュータで実行されることにより遂行される。
【００１７】
記憶装置３４には、計測履歴３８の他、計測部３９で計測を行う周期の計測周期３７(例えば１０分／回、５分／回などの周期)や、計測部３９で計測した計測値の蓄積したデータを通信装置３２から水使用状況監視装置５に送信する周期である通信周期３５、計測部３９で計測した計測値の経時的変化が急変であるか否か判定する際の基準値である急変判定値３６が記憶されている。
【００１８】
時計装置３１は、水晶発振器などのハードウェアや、水晶発振器などで計時したデータを取得するためのソフトウェアから構成され、制御プログラムの実行により、時刻を管理する機能が具現化される。
通信装置３２は、ハードウェア、通信ソフトウェアなどから構成される。
通信周期判定装置３３は、ソフトウェアの制御プログラムの実行により具現化され、計測部３９で計測した計測値の経時的変化の値が急変判定値３６以上か否か、また、通信周期３５に至ったか否か判定する。
【００１９】
そして、計測値の経時的変化の値が、急変判定値３６以上の場合には、通信装置３２を用いて、現在までの今回の通信周期３５(今回の通信周期３５の初期から途中の現在まで)で蓄積したデータが水使用状況監視装置５に送信される。一方、計測値の経時的変化が、急変判定値３６未満の場合には、通信周期判定装置３３は、通信周期３５に至ったかを判定して通信周期３５の周期で、通信装置３２を用いて、今回の通信周期３５で蓄積したデータ１周期分を水使用状況監視装置５に送信する。
【００２０】
＜水使用状況監視装置５＞
図３は、水使用状況監視装置の内部構成を示す概念図である。
水使用状況監視装置５は、時刻を管理する時計装置５１と、ネットワーク４を介して計測装置３と通信を行う通信装置５２と、計測装置３から受信した流量や水圧などの計測値を計測履歴５９として記録する記憶装置５５とを備えている。
【００２１】
さらに、水使用状況監視装置５は、各計測装置３が流量や水圧を計測し蓄積したデータを水使用状況監視装置５に送るタイミング(通信周期３５)を決定する通信周期評価装置５３と、流量の急変を判定する急変判定値評価装置５４と、画面データを作成し監視モニタ６に送信する表示装置６０とを備えている。
水使用状況監視装置５は、パソコン(Personal computer)、サーバなどで構成され、その機能は、ＨＤＤ(Hard Disk Drive)などのメモリに格納されるプログラムが実行されることにより遂行される。
【００２２】
時計装置５１は、水晶発振器などのハードウェアや、水晶発振器などで計時したデータを取得するためのソフトウェアから構成され、プログラムの実行により、時刻を管理する機能が具現化される。
通信装置５２は、ハードウェア、通信ソフトウェアなどから構成される。
【００２３】
記憶装置５５は、ＨＤＤなどのメモリや、メモリに格納されるプログラムのソフトウェアで構成され、当該プログラムが実行されることにより、データの記録、更新、参照などの機能が具現化される。
記憶装置５５は、計測履歴５９の他、通信周期３５を決定する情報の通信周期評価テーブル５６、急変判定値３６を決定する情報の急変判定値評価テーブル５７、各計測装置３の情報が記録される計測装置情報テーブル５８が格納されている。
【００２４】
＜通信周期評価テーブル５６＞
通信周期評価テーブル５６は、各計測装置３の計測値の変化に応じて変更される通信周期が記録されたテーブルである。
図４に、通信周期評価テーブル５６を示す。
通信周期評価テーブル５６は、１日の流量の最高値と最低値との差である日間流量差をある範囲で区分けした段階として設定される流量差レベル１〜４と、１日の流量である日間流量をある範囲で区分けした段階として設定される日流量レベル１〜４とのマトリックスとして表される。
【００２５】
図４に示すＳ１１〜Ｓ４４は通信周期であり、次の関係がある。
流量差レベル１〜４は、流量差の大きさの範囲の段階を示し、この順番に流量差の範囲の大きさが大きくなる。すなわち、流量差レベルが表す流量差の範囲は、レベル１＜レベル２＜レベル３＜レベル４の大きさの関係にある。
また、日流量レベル１〜４は、日流量の大きさの範囲の段階を示し、この順番に日流量の範囲の大きさが大きくなる。すなわち、日流量レベルが表す日流量の範囲は、レベル１＜レベル２＜レベル３＜レベル＜４の大きさの関係にある
この場合、通信周期Ｓ１１〜Ｓ４４は、(大)Ｓ１ｍ＞Ｓ２ｍ＞Ｓ３ｍ＞Ｓ４ｍ(小)と(大)Ｓｍ１＞Ｓｍ２＞Ｓｍ３＞Ｓｍ４(小)(ｍは、1〜４の何れかの自然数)の大きさの関係になるように予め設定されている。
【００２６】
つまり、流量差レベルが大きい場合には、小さな周期が設定される一方、流量差レベルが小さい場合には、大きな周期が設定される。また、日流量レベルが大きい場合には、小さな周期が設定される一方、日流量レベルが小さい場合には、大きな周期が設定される。
計測装置３で計測した計測値から、日間流量差が流量差レベル１〜４の何れかを求めるとともに、日間流量が日流量レベル１〜４の何れかかを求めることで、通信周期が一意的に(通信周期のＳ１１〜Ｓ４４の何れか)求まる。
【００２７】
＜急変判定値評価テーブル５７＞
急変判定値評価テーブル５７は、計測装置３の急変判定値３６を提供するために、計測装置３の計測値に応じた急変判定値がテーブルデータとして記録されている。
図５に、急変判定値評価テーブル５７を示す。
急変判定値評価テーブル５７は、日間流量差をある範囲で区分けした段階として設定される流量差レベル１〜４と、日間流量をある範囲で区分けした段階として設定される日流量レベル１〜４とのマトリックスとして表される。
【００２８】
図５で示されるＤ１１〜Ｄ４４は急変判定値である。
流量差レベル１〜４の順で流量差の範囲の大きさが大きくなり、かつ、日流量レベル１〜４の順で日流量の範囲の大きさが大きくなる。この場合には、急変判定値Ｄ１１〜Ｄ４４は、(小)Ｄ１ｎ＜Ｄ２ｎ＜Ｄ３ｎ＜Ｄ４ｎ(大)であり、(小)Ｄｎ１＜Ｄｎ２＜Ｄｎ３＜Ｄｎ４(大)(ｎは、１〜４の何れかの自然数)の大きさの関係にある。
計測装置３で計測した計測値から、日間流量差を流量差レベル１〜４の何れかを求めるとともに、日間流量を日流量レベル１〜４の何れかを求めて、急変判定値が一意的に(急変判定値Ｄ１１〜Ｄ４４の何れか)求まる。
【００２９】
計測装置情報テーブル５８は、計測装置３の固有の情報が記憶されている。具体的には、計測装置情報テーブル５８には、各計測装置３の識別情報である管理番号、計測装置３で計測を行う周期の計測周期３７、計測装置３で蓄積した計測値のデータを計測装置３から水使用状況監視装置５に送信する周期の通信周期３５、計測装置３で計測する流量(使用水量)が急変したか否かを判定する基準値の急変判定値３６などがテーブルデータとして記憶されている。
【００３０】
通信周期評価装置５３は、計測装置３で計測した流量や水圧の計測値の経時的変化から、流量や水圧を計測するタイミングを決定するものであり、例えば、流量や水圧の計測値の経時的変化とこれに対応する通信周期とのデータを有する通信周期評価テーブル５６を用いて、各計測装置３の通信周期が適正なものか否かを評価する機能を有する。
【００３１】
急変判定値評価装置５４は、各計測装置３の急変判定値が適正か否かを急変判定値評価テーブル５７を用いて判定(決定)する機能を有する。
通信周期評価装置５３、急変判定値評価装置５４は、ソフトウェアであり、前記のプログラムが実行されることにより、それぞれの機能が具現化される。
【００３２】
＜水使用状況監視システムＳの動作＞
水使用状況監視システムＳは、以下のような動作が行われる。
＜計測装置３の動作＞
図２に示す計測装置３の計測部３９は、記憶装置３４に記録されている計測周期３７で水道配水管１や配管１ｊ(図１参照)の流量(使用水量)や水圧の計測を行う。
【００３３】
計測部３９の計測値である流量や水圧は、記憶装置３４により、時計装置３１が保持するその時の時刻データを付加して、測定時刻、流量や水圧のデータ(情報)として、記憶装置３４の計測履歴３８に記録される。
計測装置３の通信周期判定装置３３は、記憶装置３４の通信周期３５に従って記憶装置３４に記録されている計測履歴３８を送信するよう通信装置３２に送信指令を出力する。通信装置３２は、ネットワーク４を介して、水使用状況監視装置５に、今回の通信周期３５の間に蓄積した計測値のデータの計測履歴３８を送信する。
【００３４】
例えば、計測周期３７が１分で通信周期３５が１０分である場合、計測部３９は流量や水圧を１分周期で計測を行い、計測履歴３８は計測時の時刻データとともに１分周期のデータ(情報)として蓄積される。そして、通信装置３２は、１０分周期で計測履歴３８のうちの１０分間の計測値、すなわち１分周期の計測値を１０レコード読み取り、１０レコードをまとめて、ネットワーク４(図１参照)を介して、水使用状況監視装置５に送信する。
【００３５】
また、計測装置３の通信周期判定装置３３(図２参照)は、計測履歴３８やワークエリア(一時記憶領域)に記録される現在の計測値と、計測履歴３８に記録される前回の計測値とを比較し、計測値の差が記憶装置３４の急変判定値３６以上である場合、通信装置３２に送信指令を出力する。
【００３６】
例えば、急変判定値３６が２０ｍ3であり、計測履歴３８に記録される前回の１分間の水使用量が１０ｍ3で、現在の１分間の水使用量が３０ｍ3である場合、
｜“現在の１分間の水使用量”−“前回の１分間の水使用量”｜≧“急変判定値３６”
の関係が成立するので、通信装置３２は今回の通信周期３５の開始から現在までの未送信分の計測履歴３８のレコード(情報)を読み取り、当該レコード(情報)を、ネットワーク４を介して水使用状況監視装置５に送信する。
【００３７】
＜水使用状況監視装置５の動作＞
図３に示す水使用状況監視装置５の通信装置５２は、ネットワーク４を介し、各計測装置３から送信される計測履歴３８(図２参照)を通信装置５２で受信する。通信装置５２は時計装置５１が保持する時刻データを元に受信した計測履歴３８を、記憶装置５５により記憶装置５５の計測履歴５９の該当箇所に各計測装置３毎に記録する。
【００３８】
監視モニタ６では、水使用状況監視装置５の表示装置６０が計測履歴５９を参照して計測履歴５９に記憶される各計測装置３の計測履歴３８の表示データを作成し出力することで、各計測装置３の計測履歴３８が表示される。ユーザは、監視モニタ６に表示される各計測装置３の計測履歴３８を目視して、各計測装置３の水使用量を時系列に把握することができる。
【００３９】
さらに、監視モニタ６では、水使用状況監視装置５の表示装置６０が計測装置情報テーブル５８を参照して各計測装置３の計測周期３７、通信周期３５、急変判定値３６の表示データを作成し出力することにより、各計測装置３の計測周期３７、通信周期３５、急変判定値３６が表示される。
【００４０】
＜水使用状況監視装置５の計測装置３の通信周期３５の評価＞
水使用状況監視装置５の通信周期評価装置５３は、通常、予め設定されているタイミングで計測履歴５９から各計測装置３の日間流量差と日間流量を算出し、図４の通信周期評価テーブル５６を用いて通信周期３５を決定する。
【００４１】
また、ユーザは、監視モニタ６に任意の現在または過去の時点を入力し、当該任意の時点において、計測履歴５９から各計測装置３の日間流量差と日間流量を算出し、通信周期評価テーブル５６(図４参照)を用いて通信周期３５を決定することができる。
【００４２】
決定した通信周期が計測装置情報テーブル５８の通信周期３５と相違する場合は、記憶装置５５が、計測装置情報テーブル５８の通信周期３５を更新して変更し、通信装置５２に通信周期３５を計測装置３に送信するように送信指令を出力する。そして、図２の計測装置３の通信装置３２が通信周期３５を受信した場合、記憶装置３４が記憶装置３４の通信周期３５を更新し変更する。
【００４３】
また、ユーザは、監視モニタ６から通信周期評価装置５３が通信周期３５を決定するタイミングの設定を変更する入力操作を行える。この場合、ユーザの入力操作に従って、通信周期評価装置５３が、プログラムソースやテーブル、ワークエリア(一時記憶エリア)などにパラメータ(変数)として設定されている通信周期３５を決定するタイミングの設定を変更する。
【００４４】
以下、計測装置３の通信周期３５(図２参照)の決定を、例を挙げて説明する。
図６に、ある計測装置の日間水使用量の瞬時値の変動が少ない場合の例を示し、図７に、ある計測装置３の日間水使用量の瞬時値の変動が大きい場合の例を示す。図６、図７は、横軸に時刻をとり、縦軸に使用水量(流量)をとっている。
図６では、1日の水使用量の上限値と下限値の差が小さいのに対し、図７では、1日の水使用量の上限値と下限値の差が大きい。
【００４５】
水使用状況監視装置５の通信周期評価装置５３が図６の計測値(使用水量)を計測した計測装置３の通信周期３５を決定する場合、図６の計測装置３に関しては日間流量差が小さいので、通信周期評価テーブル５６(図４参照)から、通信周期３５を長く設定する。例えば、図４の日流量レベル１の場合には、短い通信周期３５のＳ４１よりは長い通信周期３５のＳ１１の方が設定される。
【００４６】
一方、通信周期評価装置５３が、図７の計測値(使用水量)を計測した計測装置３の通信周期３５を決定する場合、通信周期評価テーブル５６は図７の計測装置に関しては、日間流量差が大きいので、通信周期を短く設定する。例えば、図４の日流量レベル１の場合には、長い通信周期３５のＳ１１よりは短い通信周期３５のＳ４１の方が設定される。
【００４７】
＜水使用状況監視装置５の計測装置３の急変判定値３６の評価＞
図３の水使用状況監視装置５の急変判定値評価装置５４は、通常、予め設定されているタイミングで、計測履歴５９の情報から各計測装置３の１日の最大流量と最小流量との差である日間流量差と１日のトータル流量(総使用水量)である日間流量を算出する。そして、急変判定値評価装置５４は、日間流量差が図５の急変判定値評価テーブル５７の流量差レベル１〜４の何れかであり、また、日間流量が図５の急変判定値評価テーブル５７の日流量レベル１〜４の何れかであるかを求め、急変判定値３６が急変判定値Ｄ１１〜Ｄ４４の何れかであるかを決定する。
【００４８】
また、ユーザが、監視モニタ６から入力操作を行ない所望のタイミングで、急変判定値評価装置５４が、計測履歴５９から各計測装置３の日間流量差と日間流量を算出し、同様にして、急変判定値評価テーブル５７を用いて急変判定値３６が図５の急変判定値Ｄ１１〜Ｄ４４の何れかにするかを決定する。
このように決定した急変判定値３６が計測機器情報テーブル５９の急変判定値３５と相違する場合は、計測機器情報テーブル５９の急変判定値３６を変更し、通信装置５２に急変判定値３６を、計測装置３に送信するように送信指令を出力する。
【００４９】
計測装置３が変更された急変判定値３６を受信した場合、記憶装置３４が、急変判定値３６を更新して変更する。
さらに、ユーザは、監視モニタ６から急変判定値評価装置５４が急変判定値３５を決定するタイミングの設定を変更する入力操作を行える。この場合、ユーザの入力操作に従って、急変判定値評価装置５４が、プログラムソースやテーブル、ワークエリア(一時記憶エリア)などにパラメータ(変数)として設定されている急変判定値３６を決定するタイミングの設定を変更する。
【００５０】
以下、計測装置３の急変判定値３６の決定を、例を挙げて説明する。
図８に、ある計測装置３の日間水使用量(日間流量)の瞬時値の急変７０がある場合の例を示す。図８の横軸は時刻をとり、図８の縦軸は使用水量(流量)をとっている。
図８では、１８時〜２１時の間に水使用量の急変７０が発生した場合を示している。
【００５１】
計測装置３の急変判定値３６は、水使用状況監視装置５において、急変判定値評価装置５４が、計測履歴５９の計測値から算出した日間流量差と日間流量をもとに、日間流量差が図５の急変判定値評価テーブル５７の流量差レベル１〜４の何れかであり、日間流量が図５の急変判定値評価テーブル５７の日流量レベル１〜４の何れかであるかを求め、急変判定値Ｄ１１〜Ｄ４４の何れかに適切に設定されている。
【００５２】
そして、図２の計測装置３の通信周期判定装置３３は、計測部３９で計測した流量(例えば、図８の使用水量)が急変判定値３６以上に変化したか否かを判定する。すなわち、計測履歴３８やワークエリア(一時記憶領域)に記録される現在の計測値と、計測履歴３８に記録される前回の計測値とを比較し、計測値の差が記憶装置３４の急変判定値３６以上である場合(例えば、図８の急変７０が急変判定値３６以上である場合)、水使用量が急変したと判定し、通信装置３２に送信指令を出力する。
こうして、使用水量(流量)に急変があった場合、適切に水使用状況監視装置５に計測履歴３８を送信することができる。一方、計測値の差が記憶装置３４の急変判定値３６未満である場合、水使用量が急変はないと判定する。
【００５３】
また、操作員(ユーザ)が、監視モニタ６で計測装置情報テーブル５８(図３参照)の通信周期３５または／および急変判定値３６を入力すると、記憶装置５５が計測装置情報テーブル５８の通信周期３５または／および急変判定値３６を書き換える。そして、記憶装置５５は、計測装置情報テーブル５８に既設定された通信周期３５または／および急変判定値３６に変更があるか否か判定し、変更がある場合には、該当する計測装置３に通信装置５２から変更した通信周期３５または／および急変判定値３６を送信する。
このように、操作員(ユーザ)が、各計測装置３の通信周期３５、急変判定値３６を任意に変更することが可能な構成としている。
【００５４】
また、操作員(ユーザ)が、監視モニタ６に、図４の通信周期判定テーブル５６を表示して、流量差レベル１〜４の各流量差の範囲または／および日流量レベル１〜４の各日流量の範囲または／および通信周期Ｓ１１〜Ｓ４４を書き換え入力すると、記憶装置５５が通信周期判定テーブル５６のデータを更新して変更する。
【００５５】
同様に、操作員(ユーザ)が、監視モニタ６に、図５の急変判定値評価テーブル５７を表示して、流量差レベル１〜４の各流量差の範囲または／および日流量レベル１〜４の各日流量の範囲または／および急変判定値Ｄ１１〜Ｄ４４を書き換え入力すると、記憶装置５５が急変判定値評価テーブル５７のデータを更新して変更する。
こうして、操作員(ユーザ)が、通信周期判定テーブル５６、急変判定値評価テーブル５７の設定情報を任意に変更することが可能な構成である。
【００５６】
以上、まとめると、図１に示すように、水使用状況監視システムＳは、水の使用状況(流量や水圧)の計測を行い、計測値を記録する計測装置３と各計測装置３と通信により流量や水圧の計測値を収集し記憶する水使用状況監視装置５を備えたものである。
図２の計測装置３は、計測を行う計測部３９と計測した値を計測履歴３８として記憶する記憶装置３４と計測値を水使用状況監視装置５に送信するための通信装置３２と通信周期３５を判定する通信周期判定装置３３とを備えたものである。
また、計測部３９は記憶装置３４に保存されている計測周期３７に従い計測を行う。
【００５７】
また、通信周期判定装置３３は記憶装置３４に保存されている通信周期３５に従い通信するタイミングであることを判定し、また記憶装置３４に保存されている計測履歴３８と急変判定値３６から通信タイミングであることを判定し、通信タイミングであると判定された場合は通信装置３２に送信を命令する。
【００５８】
図３の水使用状況監視装置５は、各計測装置３の計測値の履歴から通信周期３５を決定する通信周期評価装置５３と、計測装置３が計測値の急変を判定する急変判定値３６を決定する急変判定値評価装置５４と、通信周期評価装置５３と急変判定値評価装置５４の評価結果に応じて通信する通信装置５２とを備えたものである。
【００５９】
また、通信周期評価装置５３は各計測装置３の計測履歴３８を元に一定期間の変動幅を算出し、記憶装置５５の通信周期評価テーブル５６(図４参照)に従い変動幅に該当(対応)する通信周期３５を取得し、通信装置５２は該当する通信周期３５を計測装置３に送信する。
また、急変判定値評価装置５４は各計測装置３の計測履歴５９を元に一定期間の変動幅を算出し、記憶装置５５の急変判定値評価テーブル５７(図５参照)に従い変動幅に該当(対応)する急変判定値３６を取得し、通信装置５２は該当する急変判定値３６を計測装置３に送信する。
【００６０】
上記構成によれば、複数の計測装置３からデータの収集・監視を行う際、計測装置３毎の計測履歴５９から重要度を判定し、通信周期３５を制御することにより各計測装置３の水使用量を把握できる。具体的には、水使用状況監視システムＳは、広域的に各地に設置された水道メータ(計測装置３)から各計測情報を取得し、記録された過去の計測情報と比較し、計測情報の変化が激しいメータ(計測装置３)に対して、または、計測情報が急に変化したメータ(計測装置３)においては、計測情報を取得する通信周期３５を短くすることで、通信周期３５を効率的に変更する。これにより、通信頻度を抑え通信コストを抑制する。
【００６１】
つまり、状況変化の少ないメータ(計測装置３)においては通信頻度を抑えることで通信コストを低減させる。
したがって、計測機器(計測装置３)毎の重要度を判定し通信量を制御することで通信コストの増大を抑制し得る好適な水使用量監視システムＳを実現できる。
【００６２】
＜＜その他の実施形態＞＞
なお、前記実施形態では、計測装置３に通信装置３２でデータの受信があった場合、記憶装置３４で書き込み更新を行う場合を例示したが、通信装置３２で書き込み更新を行う構成としてもよい。同様に、前記実施形態では、水使用状況監視装置５に通信装置５２でデータの受信があった場合、記憶装置５５で書き込み更新を行う場合を例示したが、通信装置５２で書き込み更新を行う構成としてもよい。
【００６３】
なお、前記実施形態の図４の通信周期評価テーブル５６では、日間流量差と日間流量とを用いる場合を例示したが、１日単位以外の数日単位の流量差と流量でもよいし、誤差が含まれると考えられる場合には、１週間単位や１０日単位の流量差と流量でもよく、その評価期間は任意に選択できる。
この場合、数日単位や１週間単位や１０日単位などの任意の期間の流量差と流量の図４と同様な通信周期評価テーブル５６を複数有する構成とし、ユーザが通信周期３５を決定する期間を複数の通信周期評価テーブル５６のうちから選択できるように構成してもよい。
【００６４】
また、図４の通信周期評価テーブル５６では、流量差レベルおよび日流量レベルを４段階に分けた場合を例示しているが、流量差レベルおよび日流量レベルを４段階以外の任意数の段階に分けてもよいし、流量差レベルの段階数と日流量レベルの段階数とを異なる任意数の段階としてもよい。
【００６５】
同様に、図５の急変判定値評価テーブル５７では、日間流量差と日間流量とを用いる場合を例示したが、１日単位以外の数日単位の流量差と流量でもよいし、誤差が含まれると考えられる場合には、１週間単位や１０日単位の流量差と流量でもよく、その評価期間は任意に選択できる。
【００６６】
この場合、数日単位や１週間単位や１０日単位などの任意の期間の流量差と流量の図５と同様な急変判定値評価テーブル５７を複数有する構成とし、ユーザが急変判定値３６を決定する期間を複数の急変判定値評価テーブル５７のうちから選択できるように構成してもよい。
【００６７】
また、図５の急変判定値評価テーブル５７では、流量差レベルおよび日流量レベルを４段階に分けた場合を例示しているが、流量差レベルおよび日流量レベルを４段階以外の任意数の段階に分けてもよいし、流量差レベルの段階数と日流量レベルの段階数とを異なる任意数の段階としてもよい。
【００６８】
なお、前記実施形態では、上水道を例示して説明したが、本発明を適用できれば特に限定されないのは勿論である。
【００６９】
以上、本発明の様々な実施形態を述べたが、その説明は典型的であることを意図している。従って、本発明の範囲内で様々な修正と変更が可能である。すなわち、本発明は発明の趣旨を変更しない範囲において適宜、任意に変更可能である。
【符号の説明】
【００７０】
３      計測装置
４      ネットワーク
５      水使用状況監視装置
６      監視モニタ(入出力装置)
３２    通信装置(第１通信装置)
３４    第１記憶装置(記憶装置)
３５    通信周期
３６    急変判定値
３７    計測周期
３８    計測履歴(第１計測履歴)
５２    通信装置(第２通信装置)
５３    通信周期評価装置
５４    急変判定値評価装置
５５    記憶装置(第２記憶装、設定変更装置)
５９    計測履歴(第２計測履歴)
６０    表示装置
Ｓ      水使用状況監視システム
【図１】
0005608696.tif 000002
【図２】
0005608696.tif 000003
【図３】
0005608696.tif 000004
【図４】
0005608696.tif 000005
【図５】
0005608696.tif 000006
【図６】
0005608696.tif 000007
【図７】
0005608696.tif 000008
【図８】
0005608696.tif 000009